(57)【要約】【課題】  ペットを建物内の局所で安定的に冷暖房するために設けたペット用局所型空調装置を提案するもので、省エネルギー効果と排熱の利用を図る。【解決手段】  建物の局部にペットが安定的に居住して冷暖房効果を受ける事の出来るペット用小部屋１とこれに一体的に連設される超小型空調機２とからなり、超小型空調機２は冷温水室（例えば、風呂場３）や制御盤８等に連結される。【選択図】図１
0003187165.tif 000002
【実用新案登録請求の範囲】
【請求項１】
ペットの冷暖房用に形成され、建物内に固定又は移動可能に設置される小型の局地型空調装置であって、該装置は、ペットの出入可能の出入口を有し前記ペットの安定居住出来るスペースを有する小型のペット用小部屋と、該ペット用小部屋に連設する超小型空調機とからなり、前記超小型空調機は前記建物内又は外に設置されている冷温水室に固定的に又は伸縮可能に連結されることを特徴とするペット用局所型空調装置。
【考案の詳細な説明】
【技術分野】
【０００１】  本考案は、ペット用に形成されている空調装置であって、該空調装置は建物内に固定又は移動可能に設置され、ペットが安定的に、かつ出入自在に居住出来る冷暖用の小部屋とこれに連設する超小型空調機を有するペット用局地型空調装置に関する。
【背景技術】
【０００２】  近年、ペットを愛玩する人々が増加しており、ペットも子供や家族と同様に取り扱われている。従って、ペットは建物外に居住させるよりも建物内で家族と同様に居住することが通常行われている。このため、ペットに対しても冷暖房環境を保持することが必要であり、仮りに家族が不必要であってもペットに対する冷暖房環境を作ることが求められている。
この場合、従来では建物内に設置されている冷暖房用の空調装置を常時作動させることが行われている。【０００３】  以上のような場合において出来るならば室全体を冷暖房環境に保持するよりもペット用の専用の冷暖房環境を設けることが要請される。
また、このような場合でも省エネルギーを考慮すると家族用のものの他にペット用の専用の冷暖房装置があった方が望ましい。
この要請に対応する公知技術を調整すると例えば、「特許文献１」の如きものがあるが、本考案の出願人の調査によると本考案のようなものは見当らない。
【先行技術文献】
【特許文献】
【０００４】
【特許文献１】特開２００９−２９１１６５号（図１）
【考案の概要】
【考案が解決しようとする課題】
【０００５】  前記の「特許文献１」の「特開２００９−２９１１６５号」の「ペット用冷暖房装置」は熱伝導板を備えたものであり、特別の部屋を形成するものではなく、必ずしもペットが安定的に居住出来るものではなく、熱源としてペルチエ素子を儲けたものであり、排熱等を有効利用するものではなく、以下に説明する本考案とは全く相違するものである。【０００６】  ペット用の冷暖房装置としてはペット専門であることが望ましく、極力省エネルギー的のものであることが要請される。従って、この要請に対応するものとしはてペット用の専門部屋を有するものが望まれる。また、この部屋は固定的のものでもよいが移動式のものであることも要請され、かつ極力小スペースのものが要請される。【０００７】  本考案は、以上の要請に鑑みて考案されたものであり、ペット用専門に形成され、小スペースのものからなり、ペットが安定的に居住出来、建物の任意の場所に設置出来、排熱も利用出来、省エネルギー的効果のあるペット用局地型空調装置を提供することを目的とする。
【課題を解決するための手段】
【０００８】  本考案は、以上の目的を達成するために、請求項１の考案は、ペットの冷暖房用に形成され、建物内に固定又は移動可能に設置される小型の局地型空調装置であって、該装置は、ペットの出入可能の出入口を有し前記ペットの安定居住出来るスペースを有する小型のペット用小部屋と、該ペット用小部屋に連設する超小型空調機とからなり、前記超小型空調機は前記建物内又は外に設置されている冷温水室に固定的に又は伸縮可能に連結されることを特徴とする。
【考案の効果】
【０００９】  本考案の請求項１のペット用局地型空調装置によれば、ペットは専門の局地的な小部屋内で安定的に居住出来、小部屋は小スペースであり、空調装置も超小型のものからなり、建物全体を空調にするよりも極めて大きな省エネルギー的の効果（例えば、５分の１）の効果を期待することが出来、償却も短期間で可能である。また、排熱の利用も出来、省エネルギー的効果を更に向上させることが出来る。
【図面の簡単な説明】
【００１０】
【図１】本考案の全体構造を示す構成図。
【図２】本考案の設置状態を示す模式図（ａ），（ｂ）。
【考案を実施するための形態】
【００１１】  以下、本考案のペット用局地型空調装置の実施の形態を図面を参照して詳述する。
【実施例１】
【００１２】  「実施例１」は図１に示す如きものであり、ここでは、冷暖水室として風呂場を利用したものを示し、冷房用とした場合を示しているが勿論これに限定するものではない。【００１３】  図１に示すように、ペット用局地型空調装置１００は主として次の構成内容からなる。即ち、ペット用小部屋１と超小型空調機２と冷暖水室である風呂場３等とからなる。なお、ペット用小部屋１と超小型空調機２は一体的の連設構造からなり、例えば、建物の居間４内に収納される小スペースのものからなる。【００１４】  ペット用小部屋１はペット５（本実施例ではペットは犬からなるが、勿論これに限定するものではない）が安定的に居住出来る周辺に囲まれたスペース６を有するものからなり、ペット５の出入出来る出入口７を有するものからなる。【００１５】  超小型空調機２は一般的構造の熱交換器からなり、超小型の形態のものからなる点に特徴を有するものでありペット用小部屋１に連設して設けられている。この詳細構造の説明は省略するが、風呂場３や制御盤８等に配管９や配線１０により連設されている。また、当然ながら、超小型空調機２はドレン受け１１や制御盤８に連結され、制御盤８は電源部１２に連結されている。また、配管９や配線１０はペット用局地型空調装置１００が移動出来るように伸縮可能に形成されている。【００１６】  以上の構造のペット用局地型空調装置１００により、ペット５はスペース６内において冷房（又は暖房）されて安定的に居住出来る。また、超小型空調機２の利用により省エネルギーが可能となると共にペット用局地型空調装置１００はあくまで局地的のものであり、居間全体を冷房（又は暖房）するエネルギーに較べて遥かに小さいエネルギー消費となり、大巾な省エネルギー化（例えば、５分の１）が可能となる。また、冷房によって生じた排熱は風呂場３に供給され、有効な排熱利用が出来る（勿論、暖房の場合は冷熱の利用が出来る）。【００１７】  図２（ａ）はペット用局地型空調装置１００を居間４の一定の場所に設置した場合を示すものであり、図２（ｂ）はペット用局地型空調装置１００を移動した場合を示すものであり、その省略構造は省略する。【００１８】  本考案は、以上の説明の内容のものからなるが、これに限定するものではなく、同一技術的範疇のものに適用されることは勿論である。
【産業上の利用可能性】
【００１９】  本考案は全てのペットに対して適用されるものであり、その利用範囲は極めて広い。
【符号の説明】
【００２０】１      ペット用小部屋
２      超小型空調機
３      風呂場
４      居間
５      ペット
６      スペース
７      出入口
８      制御盤
９      配管
１０    配線
１１    ドレン受け
１２    電源部
１００  ペット用局地型空調装置
【図１】
0003187165.tif 000003
【図２】
0003187165.tif 000004